(57)【要約】【課題】複数の光源を用いて光ディスクに記録された情報を並列に読み取る場合であっても光ディスクからの反射光相互の干渉による影響を除去して読み取ることが可能である光ディスク再生装置およびその再生方法を提供すること。【解決手段】２ないし４のいずれかの個数の光源が配列され、それぞれ異なるタイミングで光ビームを光ディスク７６４に照射する光ビーム出力手段１１０と、上記各光源の発光を制御するための発光制御信号を光ビーム出力手段１１０に出力する光ビーム制御手段１２０と、各光源が照射したタイミングに同期させて光ディスク７６４によって反射された各光を検出する光検出手段１３０と、光ビーム出力手段に配置された各光源からの光ビームを光ディスク７６４に照射させるための単一の光学系１５０とによって構成される。【選択図】　図１
2004039101.tif 000002
【特許請求の範囲】
【請求項１】
光ビームを光ディスクに照射して、前記光ディスクに記録された情報を再生する光ディスク再生装置において、前記光ビームを前記光ディスクに照射する光源が２ないし４のいずれかの個数配列された光ビーム出力手段を備え、前記光ビーム出力手段に配置された各光源が個別に光ビームを照射することによって前記光ディスクの複数箇所に記録された情報を再生することを特徴とする光ディスク再生装置。
【請求項２】
前記光ビーム出力手段に配置された各光源は、それぞれ異なるタイミングで前記光ビームを前記光ディスクに照射することを特徴とする請求項１記載の光ディスク再生装置。
【請求項３】
前記各光源が照射したタイミングに同期させて前記光ディスクによって反射された各光を検出する光検出手段を備えたことを特徴とする請求項２記載の光ディスク再生装置。
【請求項４】
前記光ディスク再生装置は、前記光ビーム出力手段に配置された各光源からの光ビームを前記光ディスクに照射させるための単一の光学系を備えたことを特徴とする請求項３記載の光ディスク再生装置。
【請求項５】
前記光ディスクに照射された各光ビームにおける隣り合う光ビーム間の中心間隔は、前記光ディスクのトラック間隔以下であることを特徴とする請求項１乃至４記載の光ディスク再生装置。
【請求項６】
光ビームを光ディスクに照射して、前記光ディスクに記録された情報を再生する光ディスク再生方法において、前記光ビームをそれぞれ異なるタイミングで間欠的に前記光ディスクに照射するステップと、前記光ビームが照射されるタイミングおよび時間幅に同期させて前記光ディスクからの反射光を検出するステップとを備えたことを特徴とする光ディスク再生方法。
【発明の詳細な説明】
【０００１】
【発明の属する技術分野】
本発明は、１の再生ヘッドによって複数の光ビームを放射し、光ディスク上の複数のトラックを同時に再生する光ディスク再生装置に関するものである。
【０００２】
【従来の技術】
従来、１の再生ヘッドによって複数の光ビームを放射し、光ディスク上の複数のトラックを同時に再生する光ディスク再生装置としては、例えば図６に示す構成を有する光ディスク再生装置が知られており、その再生ヘッドとしては、例えば特開平５−２９０４０５号公報に開示されたものが知られている。
【０００３】
図６（ａ）に示す従来の光ディスク再生装置６００は、複数の光ビームの出力を制御し、光ディスク６６４からの反射光に基づいて情報を再生する再生制御手段６６１、および光ディスク６６４に光ビームを照射し、光ディスク６６４上で反射した光を検出するヘッド６６２によって構成される。
【０００４】
ヘッド６６２は、複数の光ビームを光ディスク６６４に同時に照射し、光ディスク６６４で同時に反射された反射光を検出し再生信号を生成する。
なお、ヘッド６６２が複数の光ビームを光ディスクに同時に照射するときの各光ビームの光スポットの間隔は光ディスクのトラック幅以上である。
【０００５】
図６（ｂ）は、光ディスクに照射される複数の光ビームの光スポットの間隔が光ディスクのトラック幅以上である場合に、光スポット６７１、６７２の列を結ぶ直線６７４が光ディスクの半径軸６７３と交差してなされる角度が光ディスクの内周側と外周側との曲線半径の違いによって異なることを模式的に示した説明図である。
図６（ｂ）において、上記角度は、光ディスクの外周側の方が小さくなる。
【０００６】
また、ヘッド６６２は、光スポット６７１、６７２の列を結ぶ直線６７４が光ディスクの半径軸６７３と交差してなされる角度が光ディスクの内周側と外周側との曲線半径の違いによって異なることによって、光ビームが正確に光ディスクのトラックに入射されなくなることを防ぐために、例えば特開平５−２９０４０５公報に開示されるような複雑な角度補正手段を有し、内周側と外周側とにおける上記角度の変化に追従させる。
この構成により、従来の光ディスク再生装置６００は、光ディスク上の複数の箇所を同時に再生していた。
【０００７】
【発明が解決しようとする課題】
しかし、このような従来の光ディスク再生装置において、各光ビームの相互の光スポットの間隔を狭くしていった場合に、各光ビームを光ディスクに同時に照射することによって発生した各反射光が相互に干渉しあうため、各光ビームのスポットの間隔には限界があるという問題があった。
【０００８】
本発明は、かかる問題を解決するためになされたものであり、その目的は、複数の光源を用いて光ディスクに記録された情報を並列に読み取る場合に、光ディスクからの反射光相互の干渉による影響を除去して読み取ることが可能である光ディスク再生装置およびその再生方法を提供することにある。
【０００９】
【課題を解決するための手段】
以上の点を考慮して、請求項１に係る発明は、光ビームを光ディスクに照射して、前記光ディスクに記録された情報を再生する光ディスク再生装置において、前記光ビームを前記光ディスクに照射する光源が２ないし４のいずれかの個数配列された光ビーム出力手段を備え、前記光ビーム出力手段に配置された各光源が個別に光ビームを照射することによって前記光ディスクの複数箇所に記載された情報を再生する構成を有している。
【００１０】
この構成により、複数の光源を用いて光ディスクに記録された情報を並列に読み取る場合に、光ディスクからの反射光相互の干渉による影響を除去して読み取ることが可能である。
【００１１】
また、請求項２に係る発明は、請求項１において、前記光ビーム出力手段に配置された各光源は、それぞれ異なるタイミングで前記光ビームを前記光ディスクに照射する構成を有している。
【００１２】
この構成により、複数の光ビームを、それぞれ異なったタイミングで、間欠的に光ディスクに照射し、各光ビームの照射時間に同期して光ディスクからの反射光を検出するため、光ディスクからの反射光の干渉の影響を除いて前記光ディスクに記録された情報を再生することが可能な光ディスク再生装置を実現できる。
【００１３】
また、請求項３に係る発明は、請求項２において、前記各光源が照射したタイミングに同期させて前記光ディスクによって反射された各光を検出する光検出手段を備えた構成を有している。
【００１４】
この構成により、複数の光ビームを、それぞれ異なったタイミングで、間欠的に光ディスクに照射し、各光ビームの照射時間に同期して光ディスクからの反射光を検出するため、光ディスクからの反射光の干渉の影響を除いて前記光ディスクに記録された情報を再生することが可能な光ディスク再生装置を実現できる。
【００１５】
また、請求項４に係る発明は、請求項３において、前記光ディスク再生装置は、前記光ビーム出力手段に配置された各光源からの光ビームを前記光ディスクに照射させるための単一の光学系を備えた構成を有している。
【００１６】
この構成により、複数の光ビームを、それぞれ異なったタイミングで、間欠的に光ディスクに照射し、各光ビームの照射時間に同期して光ディスクからの反射光を検出するため、光ディスクからの反射光の干渉の影響を除いて前記光ディスクに記録された情報を再生することが可能な光ディスク再生装置を実現できる。
【００１７】
また、請求項５に係る発明は、請求項１乃至４において、前記光ディスクに照射された各光ビームにおける隣り合う光ビーム間の中心間隔は、前記光ディスクのトラック間隔以下である構成を有している。
【００１８】
この構成により、複数の光ビームを、それぞれ異なったタイミングで、間欠的に光ディスクに照射し、各光ビームの照射時間に同期して光ディスクからの反射光を検出するため、光ディスクからの反射光の干渉の影響を除いて前記光ディスクに記録された情報を再生することが可能で、また、光ディスクからの反射光の干渉の影響を除くことができるため、光ディスクに照射する光ビームの本数を２ないし４のいずれかの数のみならず、光ディスクのトラック本数まで増やすことが可能な光ディスク再生装置を実現できる。
【００１９】
また、請求項６に係る発明は、光ビームを光ディスクに照射して、前記光ディスクに記録された情報を再生する光ディスク再生方法において、前記光ビームをそれぞれ異なるタイミングで間欠的に前記光ディスクに照射するステップと、前記光ビームが照射されるタイミングに同期させて前記光ディスクからの反射光を検出するステップとを備えた構成を有している。
【００２０】
この構成により、複数の光ビームを、それぞれ異なったタイミングで、間欠的に光ディスクに照射し、各光ビームの照射時間に同期して光ディスクからの反射光を検出するため、光ディスクからの反射光の干渉の影響を除いて前記光ディスクに記録された情報を再生することが可能な光ディスク再生装置を実現できる。
【００２１】
【発明の実施の形態】
以下、本発明の実施の形態について、図面を用いて説明する。
図１に示すように、本発明の第１の実施の形態に係る光ディスク再生装置１００は、光ディスク７６４に記録された情報を再生するために放射する光ビームを発する２つの光源を有する光ビーム出力手段１１０、上記各光源の発光を制御するための発光制御信号を生成して光ビーム出力手段１１０に出力する光ビーム制御手段１２０、上記２つの光源から照射され、光ディスク７６４上で反射した各反射光を検出する光検出手段１３０、および光ビーム出力手段１１０によって出力された各光ビームを光ディスク７６４に入射させ、これらの反射光を光検出手段１３０に入射させる光学系１５０によって構成される。
【００２２】
光ビーム出力手段１１０は、第１、第２の光源１１１、１１２によって構成され、光ビーム制御手段１２０によって出力される発光制御信号を入力とし、発光制御信号に応じて光ビームを放射する手段である。ここで、発光制御信号は、光源１１１、１１２毎に入力され、各光源が発光して光ディスクに記録された情報を読み取る期間が異なるように制御する信号である。したがって、各光源から放射される光は間欠的な光ビーム（以下、間欠光ビームという）となる。発光制御信号については、後に詳細に説明する。
【００２３】
ここで、各光源から放射される間欠光ビームの光強度は同程度であり、間欠光ビームの発光周期は、同一とする。また、発光の時間幅およびタイミングは、第１の間欠光ビームと第２の間欠光ビームの発光する時間が重ならないのであれば、他の時間幅やタイミングに設定するのでも良い。
【００２４】
第１の光源１１１は、光ビーム制御手段１２０によって出力され、第１の光源１１１に入力された発光制御信号（以下、第１の発光制御信号という）に応じ、間欠光ビーム（以下、第１の光源１１１によって放射された間欠光ビームを第１の間欠光ビームという）を放射するための手段である。
【００２５】
第２の光源１１２は、光ビーム制御手段１２０によって出力され、第２の光源１１２に入力された発光制御信号（以下、第２の発光制御信号という）に応じ、間欠光ビーム（以下、第２の光源１１２によって放射された間欠光ビームを第２の間欠光ビームという）を放射するための手段である。なお、第１、第２の光源１１１、１１２は、例えば半導体レーザでもよいが、他の光源でもよい。
【００２６】
図２（ａ）は、上記第１の間欠光ビームの波形を概念的に示した図で、図２（ｂ）は、上記第２の間欠光ビームの波形を概念的に示した図である。図２（ａ）、および図２（ｂ）において、第１の間欠光ビームおよび第２の間欠光ビームは、周期的に発光するものであり、発光の時間幅および光強度は同程度である。また、上記の発光の時間幅は、半周期以下であり、間欠光ビーム相互の発光のタイミングは、約半周期ずれている。
【００２７】
光ビーム制御手段１２０は、第１の発光制御信号と第２の発光制御信号を生成して光ビーム出力手段１１０に出力するための手段である。
ここで、光ビーム制御手段１２０の構成例について、光ビーム出力手段１１０の各光源が半導体レーザによって構成される場合を例に取って説明する。光源が半導体レーザによって構成される場合、上記第１の発光制御信号および第２の発光制御信号は、１００〜１０００ＭＨｚ程度の周波数の信号であり、半導体レーザを発光させるための電流（以下、駆動電流という）を流すことができる電気信号である。
【００２８】
図３は、駆動電流に対する半導体レーザの発光特性、および入力信号に対する半導体レーザの出力波形の関係を模式的に示す図である。図３は、正弦波の駆動電流の信号が所定のバイアスで入力され、駆動電流の一部が所定のしきい値を超す場合の例であり、駆動電流が上記のしきい値を超えたときに光ディスクに記録された情報を読み取ることができる強度の光が放射されることになる。これによって、光源は、間欠的に光ビームを発光することになる。なお、光ビームの周期は入力された駆動電流の周期によって決定され、発光の時間幅および発光の光強度は上記のバイアスまたは駆動電流の振幅等によって制御される。
【００２９】
光ビーム出力手段１１０の各光源が半導体レーザによって構成される場合、光ビーム制御手段１２０は、さらに、制御電源１２１、高周波電源１２２、位相変化手段１２３、第１の高周波重畳モジュール１２４、および第２の高周波重畳モジュール１２５によって構成される。
【００３０】
制御電源１２１は、上記の駆動電流のバイアスを設定するための信号（以下、駆動制御信号という。）を生成して第１の高周波重畳モジュール１２４と第２の高周波重畳モジュール１２５とに出力するための手段である。
高周波電源１２２は、半導体レーザの発光の周波数および所定の振幅を有する交流信号（以下、高周波信号という。）を生成し、上記高周波信号を第１の高周波重畳モジュール１２４および位相変化手段１２３に出力するための手段である。
【００３１】
位相変化手段１２３は、高周波電源１２２によって出力された高周波信号を入力とし、入力された高周波信号の位相を変化させ、位相を変化させた高周波信号（以下、位相変化高周波信号という。）を第２の高周波重畳モジュール１２５に出力するための手段である。
【００３２】
第１の高周波重畳モジュール１２４は、上記駆動制御信号と上記高周波信号とを入力とし、入力された上記制御信号と上記高周波信号とを重畳して第１の発光制御信号を生成し、生成した第１の発光制御信号を光ビーム出力手段１１０の第１の光源１１１に出力するための手段である。
【００３３】
第２の高周波重畳モジュール１２５は、上記制御信号と上記位相変化高周波信号とを入力とし、入力された上記制御信号と上記位相変化高周波信号とを重畳して、第２の発光制御信号を生成し、生成した第２の発光制御信号を光ビーム出力手段１１０の第２の光源１１２に出力するための手段である。
【００３４】
光学系１５０は、光ビーム出力手段１１０によって放射された第１、第２の間欠光ビームを光ディスク７６４に入射させ、入射した各間欠光ビームが光ディスク７６４上で反射して生ずる反射光を光検出手段１３０に入射させるための手段である。ここで、光学系１５０は、光ディスク７６４に入射する上記第１、第２の間欠光ビーム間の間隔が、光ディスク７６４の表面に形成されたトラックの幅程度の間隔となるように構成される。
【００３５】
また、光学系１５０は、例えば、検出側対物レンズ１５１、偏光ビームスプリッタ１５２、１／４波長板１５３、ディスク側対物レンズ１５４、およびコリメートレンズ１５５などで構成されるが、他の構成でもよい。
なお、光学系１５０は、光ディスク７６４上の記録トラックを追従するためのフォーカス・トラッキングサーボを備えるなど、光ディスクの情報再生に必要な手段を全て備えているものとする。
【００３６】
図４は、本発明の第１の実施の形態に係る光ディスク再生装置１００における第１の間欠光ビームが光ディスク７６４に入射されたときのスポット（第１の光スポット４７１）と第２の間欠光ビームが光ディスク７６４に入射されたときのスポット（第２の光スポット４７２）との位置関係の様子を示す図である。
【００３７】
図４において、第１の光スポット４７１と第２の光スポット４７２との位置関係は、光ディスク７６４のトラック幅程度の間隔を持って隣り合い、さらに、光ディスク７６４の内周側、および外周側であっても光ディスク７６４の半径軸上にある。ただし、同一発光周期の間に各間欠光ビームを用いて光ディスクの読み取りが可能となるのであれば、他の位置関係を有するものでも良い。
【００３８】
光検出手段１３０は、第１、第２の間欠光ビームが光ディスク７６４に入射することによって発生した各反射光を、入射した各間欠光ビームのタイミングに同期させて検出し、検出した各反射光に基づいて、第１の間欠光ビームに係る再生信号と第２の間欠光ビームに係る再生信号とを生成するための手段である。
【００３９】
また、光検出手段１３０は、例えば、反射光検出手段１３１、第１の乗算回路１３２と第２の乗算回路１３３とによって構成されるが、第１の間欠光ビームに係る再生信号と第２の間欠光ビームに係る再生信号とを生成できるのであれば、それ以外の構成でもよい。
【００４０】
ここで、乗算回路とは、１の電気信号と特定の周波数と位相とを有する電気信号である参照信号とを入力として、上記１の電気信号と上記参照信号との積をとり、上記１の電気信号の上記参照信号と同一の周波数と位相とを有する信号成分を抽出するための電気回路のことである。
【００４１】
反射光検出手段１３１は、第１、第２の間欠光ビームが光ディスク７６４に入射することによって発生した各反射光を検出し、検出して得られた信号（以下、検出信号という。）を第１の乗算回路１３２と第２の乗算回路１３３とに出力するための手段である。なお、反射光検出手段１３１は、例えば、１つのフォトダイオードによって実現されるのでも、その他の検出素子によって構成されるのでもよい。
【００４２】
図２（ｃ）は、本発明の第１の実施の形態に係る光ディスク再生装置１００において検出される反射光についての検出信号の波形を概念的に示した図である。図２（ｃ）において、検出信号は、低いピークを有する周期的な信号と高いピークを有する周期的な信号とによって構成され、例えば、第１の間欠光ビームによる反射光の信号成分は低いピークを有する周期的な信号として表され、第２の間欠光ビームによる反射光の信号成分は高いピークを有する周期的な信号として表される。
【００４３】
第１の乗算回路１３２は、光ビーム制御手段１２０によって出力された第１の発光制御信号、および、反射光検出手段１３１によって出力された検出信号を入力とし、上記第１の発光制御信号と検出信号との積をとり、積を取って得られた信号を第１の間欠光ビームに係る再生信号として外部に出力する手段である。これにより、第１の発光制御信号に基づく発光に同期して第１の間欠光ビームの反射光成分を検出することができる。
図２（ｄ）は、図２（ｃ）に示された検出信号と第１の発光制御信号との積を取って得られた第１の間欠光ビームに係る再生信号の波形を概念的に示した図である。
【００４４】
第２の乗算回路１３３は、光ビーム制御手段１２０によって出力された第２の発光制御信号、および、反射光検出手段１３１によって出力された検出信号を入力とし、上記第２の発光制御信号と検出信号との積をとり、積を取って得られた信号を第２の間欠光ビームに係る再生信号として外部に出力する手段である。これにより、第２の発光制御信号に基づく発光に同期して第２の間欠光ビームの反射光成分を検出することができる。
図２（ｅ）は、図２（ｃ）に示された検出信号と第２の発光制御信号との積を取って得られた第２の間欠光ビームに係る再生信号の波形を概念的に示した図である。
【００４５】
なお、上記では第１、第２の発光制御信号を参照信号として第１、第２の乗算回路１３２、１３３に入力する例について説明したが、各間欠光ビームを別々に検出して得られるそれぞれの電気信号を参照信号として入力するのでもよい。また、各間欠光ビームの発光周期と同一の周期を有し、かつ、各間欠光ビームの発光のタイミングのずれと同一の位相のずれを有する電気信号を参照信号とするのでもよい。
【００４６】
図５は、本発明の第１の実施の形態に係る光ディスク再生方法における、再生処理の流れを示すフローチャートである。
なお、図５は、各光源が各１つの間欠光ビームを放射したときの処理の流れを示したもので、実際の情報再生においては、上記処理が繰り返し行われる。
【００４７】
Ｓ５１００で、光ビーム制御手段１２０は、第１の発光制御信号と第２の発光制御信号とを光ビーム出力手段１１０に出力する。
Ｓ５２００で、光ビーム出力手段１１０の第１の光源１１１は、上記第１の発光制御信号に応じ第１の間欠光ビームを放射し、光学系１５０を介して第１の間欠光ビームを光ディスク７６４に入射させる。
【００４８】
Ｓ５３００で、光ビーム出力手段１１０の第２の光源１１２は、上記第２の発光制御信号に応じ第２の間欠光ビームを放射し、光学系１５０を介して第２の間欠光ビームを光ディスク７６４に入射させる。
Ｓ５４００で、光検出手段１３０は、第１、第２の間欠光ビームが光ディスク７６４に入射することによって発生した各反射光を、入射した各間欠光ビームのタイミングに同期させて検出し、検出した各反射光に基づいて、第１の間欠光ビームに係る再生信号と第２の間欠光ビームに係る再生信号とを生成する。
【００４９】
なお、上記処理の後に、光検出手段１３０は、低域通過フィルタやディジタル信号処理手段などに各再生信号を出力し、出力された各再生信号は上記低域通過フィルタやディジタル信号処理手段などによって所定の処理を施されるのでもよい。光検出手段１３０から信号が出力された以降の処理は、本発明の趣旨の範囲外であり、その説明を省略する。
【００５０】
また、本発明の第１の実施の形態に係る光ディスク再生装置または光ディスク再生方法では、光ディスク７６４の２箇所に記録された情報を２個の光源を用いて再生する場合について説明したが、光源の個数は、２個に限られず、３ないし４個のいずれかの個数でも良い。
【００５１】
以下に、光ディスク７６４における４箇所を並行して再生する場合について説明する。
【００５２】
光ビーム出力手段１１０は、４つの光源を有し、後述の光ビーム制御手段１２０によって出力された発光制御信号に応じ、４つの間欠光ビームを出力する。ここで、光ビーム出力手段１１０によって出力される間欠光ビーム相互の発光は、例えば、０°、９０°、１８０°、２７０°等のように、９０°の位相間隔があるものとする。
なお、各光源から放射される間欠光ビームの光強度は同程度であり、間欠光ビームの発光周期は、同一とする。
【００５３】
光ビーム制御手段１２０は、４つの発光制御信号を光ビーム出力手段１１０に出力する。なお、発光制御信号は、間欠光ビームの発光周期、発光時間幅、および光強度を制御するものであり、例えば、高周波重畳信号である。また、各発光制御信号には、０°、９０°、１８０°、２７０°というように、９０°の位相間隔があるものとする。
【００５４】
光学系１５０は、光ビーム出力手段１１０によって放射された各間欠光ビームを光ディスク７６４に入射させ、光ディスク７６４に入射された各間欠光ビームが光ディスク７６４上で反射して生ずる反射光を光検出手段１３０に入射させる。
【００５５】
光検出手段１３０は、各間欠光ビームが光ディスク７６４に入射することによって発生した各反射光を、入射した各間欠光ビームのタイミングに同期させて検出し、検出した各反射光に基づいて、間欠光ビーム毎に再生される再生信号を生成する。以下、光ディスク７６４の４箇所を並行して再生する場合の、再生信号の生成について詳しく説明する。
【００５６】
光検出手段１３０は、各間欠光ビームが光ディスク７６４に入射することによって発生した各反射光を検出する。各反射光の検出によって得られる信号（以下、光検出信号という。）は、式（１）のように表すことができる。
【数１】
2004039101.tif 000003
【００５７】
ここで、ｓは光検出信号、ｓＡｉは第１の間欠光ビームによって発生する反射光の信号成分、ｓＢｉは第２の間欠光ビームによって発生する反射光の信号成分、ｓＣｉは第３の間欠光ビームによって発生する反射光の信号成分、ｓＤｉは第４の間欠光ビームによって発生する反射光の信号成分、Ａは第１の間欠光ビームによって発生する反射光の信号成分の最大振幅、Ｂは第２の間欠光ビームによって発生する反射光の信号成分の最大振幅、Ｃは第３の間欠光ビームによって発生する反射光の信号成分の最大振幅、Ｄは第４の間欠光ビームによって発生する反射光の信号成分の最大振幅、ｆは間欠光ビームの周波数、ｔは時刻である。
【００５８】
また、光検出手段１３０は、光検出信号に各発光制御信号と同じ位相の信号を乗算し、各間欠光ビームによって発生する反射光の再生信号を抽出する。抽出された各間欠光ビームによって発生する反射光の再生信号は、それぞれ式（２）のように表すことができる。
【数２】
2004039101.tif 000004
【００５９】
ここで、ｓＡｏは第１の間欠光ビームによって発生する反射光の再生信号、ｓＢｏは第２の間欠光ビームによって発生する反射光の再生信号、ｓＣｏは第３の間欠光ビームによって発生する反射光の再生信号、ｓＤｏは第４の間欠光ビームによって発生する反射光の再生信号である。
【００６０】
さらに、光検出手段１３０は、抽出された各間欠光ビームによって発生する反射光の再生信号に低域通過フィルタ処理を施して高周波信号成分を除去する。各間欠光ビームによって発生する反射光の再生信号は、式（３）のように表すことができる。
【数３】
2004039101.tif 000005
【００６１】
ここで、第１の間欠光ビーム、および第３の間欠光ビームは、相互に重なり合わずに発光し、第２の間欠光ビーム、および第４の間欠光ビームは、相互に重なり合わずに発光するものであるので、各間欠光ビームによって発生する反射光の再生信号は、さらに式（４）のように表すことができる。
【数４】
2004039101.tif 000006
ここで、ｎは整数である。
【００６２】
さらに、光検出手段１３０は、各間欠光ビームによって発生する反射光の再生信号の符号が正であるもののみを通過させるフィルタ処理を行う。各間欠光ビームによって発生する反射光の再生信号は、式（５）のように表すことができる。
【数５】
2004039101.tif 000007
【００６３】
上記のような、光検出手段１３０の処理を実現するために、光検出手段１３０は、例えば、乗算回路と低域通過フィルタと整流回路とを間欠光ビーム毎に具備するものとする。
【００６４】
なお、本発明は、２以上の情報記憶層を有する光ディスクの情報を再生する光ディスク再生装置およびその再生方法にも適用可能である。
この場合、上記光ディスクは、単一の情報記憶層のトラックが光ビーム出力手段１１０の２ないし４のいずれかの個数の光源によって情報再生され、１の情報記憶層の再生が終了する毎に、次に再生される情報記憶層に光ビームの照準が合わせられ、それぞれの情報記憶層が順次再生される。
【００６５】
以上説明したように、本発明の第１の実施の形態に係る光ディスク再生装置およびその再生方法は、複数の光ビームを、それぞれ異なったタイミングで、間欠的に光ディスクに照射し、各光ビームの照射時間に同期して光ディスクからの反射光を検出するため、光ディスクからの反射光の干渉の影響を除いて前記光ディスクに記録された情報を再生することが可能である。
また、光ディスクからの反射光の干渉の影響を除くことができるため、光ディスクに照射する光ビームの本数を２ないし４のいずれかの数のみならず、光ディスクのトラック本数まで増やすことが可能である。
【００６６】
【発明の効果】
以上説明したように、本発明は、複数の光源を用いて光ディスクに記録された情報を並列に読み取る場合に、光ディスクからの反射光相互の干渉による影響を除去して読み取ることが可能である光ディスク再生装置およびその再生方法を実現することができる。
【図面の簡単な説明】
【図１】本発明の第１の実施の形態に係る光ディスク再生装置の概略のブロック構成を示す図
【図２】本発明の第１の実施の形態に係る光ビームの波形の例、および再生信号の波形の例の様子を示す図
【図３】本発明の第１の実施の形態に係る駆動電流に対する発光特性、および入力信号に対する出力波形の関係を模式的に示す図
【図４】本発明の第１の実施の形態に係る光ディスク再生装置における第１、第２の間欠光ビームが光ディスクに入射されたときの光スポットの位置関係の様子を示す図
【図５】本発明の第１の実施の形態に係る光ディスク再生方法における再生処理の流れを示すフローチャート
【図６】従来の光ディスク再生装置の概略のブロック構成と光ビームが光ディスクに入射されたときの光スポットの位置関係の様子とを示す図
【符号の説明】
１００、６００　光ディスク再生装置
１１０　光ビーム出力手段
１１１　第１の光源
１１２　第２の光源
１２０　光ビーム制御手段
１２１　制御電源
１２２　高周波電源
１２３　位相変化手段
１２４　第１の高周波重畳モジュール
１２５　第２の高周波重畳モジュール
１３０　光検出手段
１３１　反射光検出手段
１３２　第１の乗算回路
１３３　第２の乗算回路
１５０　光学系
１５１　検出側対物レンズ
１５２　偏光ビームスプリッタ
１５３　１／４波長板
１５４　ディスク側対物レンズ
１５５　コリメートレンズ
３０１　半導体レーザの駆動電流に対する発光特性
３０２　高周波重畳信号
３０３　間欠光ビームの出力波形
４７１、６７１　第１の光スポット
４７２、６７２　第２の光スポット
４７３、６７３　光ディスクの半径軸
６６１　再生制御手段
６６２　ヘッド
６７４　第１、第２の光スポットの列を結ぶ直線
６６４、７６４　光ディスク
【図１】
2004039101.tif 000008
【図２】
2004039101.tif 000009
【図３】
2004039101.tif 000010
【図４】
2004039101.tif 000011
【図５】
2004039101.tif 000012
【図６】
2004039101.tif 000013